(57)【要約】      （修正有）【課題】封止材を溶融させて封止孔を封止する際に、溶融した封止材が封止孔の内壁面に濡れ広がりやすくするとともに望まない部位への濡れ広がりを抑制して、安定した振動特性を有し、高信頼性を備えた圧電デバイスを提供する。【解決手段】水晶振動子は、振動片基板の上下に連通する開口部を、リッド基板１０およびベース基板とで塞ぐように直接接合により固定して形成されている。封止孔４０は、外部側開口部から内部空間側面１３に向かって狭まる断面テーパー形状を有した外部側内壁部４１と、内部空間側開口部４２ｂから外部側面１１に向かって狭まり前記外部側内壁部４１とは逆テーパーとなる断面テーパー形状を有した内部空間側内壁部４２とが、リッド基板１０の厚み方向の中間部の中間開口部４０ｃで連通されてなる。外部側内壁部４１を含む領域には金属膜４３が形成されている。【選択図】図４
2010153977.tif 000002
【特許請求の範囲】
【請求項１】
圧電振動片が形成された振動片基板と、
前記振動片基板を間に挟んだ上下に配置され前記振動片基板に接合される２つの基板と、を備え、
前記振動片基板と前記基板とが接合されることにより、２つの前記基板間に形成される内部空間に前記圧電振動片が収容され、
２つの前記基板の少なくとも一方に、前記内部空間と外部とを連通し内壁に金属膜を有する封止孔が設けられ、前記封止孔を封止材にて塞ぐことにより、前記内部空間を気密にした圧電デバイスであって、
前記封止孔は、前記外部側に開口した外部側開口部から前記基板の中間部の中間開口部までの外部側内壁部と、前記中間開口部から前記内部空間側に開口した内部空間側開口部までの内部空間側内壁部と、が連通されてなり、
前記外部側内壁部は、断面が前記外部側開口部から前記内部空間側に向かって狭まるテーパー形状を有し、
前記内部空間側内壁部は、断面が前記内部空間側開口部から前記外部側に向かって狭まるテーパー形状を有していることを特徴とする圧電デバイス。
【請求項２】
請求項１に記載の圧電デバイスにおいて、
前記外部側開口部が平面視で円形状または正多角形状を呈していることを特徴とする圧電デバイス。
【請求項３】
請求項２に記載の圧電デバイスにおいて、前記中間開口部が平面視で楕円形状を有することを特徴とする圧電デバイス。
【請求項４】
請求項１〜３のいずれか一項に記載の圧電デバイスにおいて、
平面視したときの前記外部側開口部の中心と、前記中間開口部の中心とがそれぞれ異なる位置になるように配置されていることを特徴とする圧電デバイス。
【請求項５】
圧電振動片が形成された振動片基板と、前記振動片基板を間に挟んだ上下に配置され前記振動片基板に接合される２つの基板と、を備え、前記振動片基板と前記基板とが接合されることにより、２つの前記基板間に形成される内部空間に前記圧電振動片が収容され、２つの前記基板の少なくとも一方に、前記内部空間と外部とを連通し内壁に金属膜を有する封止孔が設けられ、前記封止孔を封止材にて塞ぐことにより、前記内部空間を気密に封止し、前記封止孔は、前記外部側に開口した外部側開口部から前記基板の中間部の中間開口部までの外部側内壁部と、前記中間開口部から前記内部空間側に開口した内部空間側開口部までの内部空間側内壁部と、が連通されてなり、前記外部側内壁部は、断面が前記外部側開口部から前記内部空間側に向かって狭まるテーパー形状を有し、前記内部空間側内壁部は、断面が前記内部空間側開口部から前記外部側に向かって狭まるテーパー形状を有した圧電デバイスの製造方法であって、
前記外部側内壁部を形成するステップと、
前記外部側内壁部を形成するステップの後で、前記外部側内壁部を含む領域に前記金属膜を形成するステップと、
前記金属膜を形成するステップの後で、前記基板を前記内部空間側からエッチング加工することにより前記外部側内壁部と連通する前記内部空間側内壁部を形成するステップと、
前記接合するステップと、
前記封止孔に前記封止材を配置し、該封止材を溶融させて前記封止孔を塞ぐことにより孔封止するステップと、を含むことを特徴とする圧電デバイスの製造方法。
【請求項６】
請求項５に記載の圧電デバイスの製造方法において、
少なくとも前記外部側内壁部をドライエッチング加工法を用いて形成することを特徴とする圧電デバイスの製造方法。
【請求項７】
請求項５または６に記載の圧電デバイスの製造方法において、
前記内部空間側内壁部を形成するステップで、前記内部空間側からドライエッチング加工を施すことにより前記内部空間側内壁部を形成することを特徴とする圧電デバイスの製造方法。
【発明の詳細な説明】
【技術分野】
【０００１】
本発明は、圧電振動片を気密に収容した圧電デバイス、およびその製造方法に関するものである。
【背景技術】
【０００２】
従来より、各種情報・通信機器やＯＡ機器、また、民生機器等の電子機器には、水晶振動子などの圧電デバイスが使用されている。特に最近は、これら電子機器等の高機能化と共に小型化、薄型化の進展が著しく、これに伴って、圧電デバイスへの小型化、薄型化の要求も高まり、回路基板への実装に適した表面実装型の圧電デバイスが多用されている。一般に表面実装型の圧電デバイスは、セラミックなどの絶縁材料によるパッケージ内に圧電振動片を接合し、パッケージ上にリッドを接合することにより、パッケージとリッドにより形成されるキャビティ内に圧電振動片を封止する構造が広く採用されている。しかし、従来のパッケージ構造では、低融点ガラスの溶融やシーム溶接などでパッケージとリッドとを接合するため、その接合における高温や発生するアウタガス等の影響で、圧電振動片の周波数特性を低下させたり劣化させたりする虞がある。
【０００３】
このような問題を解決する圧電デバイスとして、枠体に水晶振動片を一体形成した振動片基板（水晶片）と、水晶やガラスなどからなり振動片基板を挟んだ上下に配置される一対の蓋体（リッド基板とベース基板）とを直接接合（表面活性化接合）により接合した水晶振動子が提案されている（例えば特許文献１）。表面活性化接合は、例えば珪素（Ｓｉ）を主成分とした水晶やガラスなどの接合対応面である接合領域を鏡面研磨してから当接し、加圧することによって当接面の珪素結合（原子間的結合）によって直接接合する接合法であり、ほとんど加熱しなくても接合することが可能である。
また、例えば特許文献２には、表面活性化接合の他の直接接合法である陽極接合を用いて圧電デバイスを製造する方法が、紹介されている。
【０００４】
また、特許文献３には、圧電振動片が形成された振動片基板を、リッド基板およびベース基板（水晶振動子容器）により上下方向から挟むようにして直接接合した後に、真空チャンバー内で、リッド基板またはベース基板のいずれか一方に形成された封止孔（貫通孔）に、球状の熱溶解する封止材を落とし込み、その封止材を熱溶解させることにより、リッド基板およびベース基板により形成される内部空間内に、圧電振動片を気密に封止する圧電デバイスの製造方法が示されている。
【０００５】
【特許文献１】特開２０００−２６９７７５号公報
【特許文献２】特開２００４−２５４２３８号公報
【特許文献３】特開２００７−１８０９２４号公報
【発明の開示】
【発明が解決しようとする課題】
【０００６】
ところで、特許文献３に記載の圧電デバイスの製造方法において、封止孔を閉鎖する封止材としては、圧電デバイスを実装する際に印加される加熱温度よりも高い温度を融点とする封止材を用いることが好ましい。そのような封止材としては、例えば、金と錫（Ｓｎ）との合金、あるいは、金とゲルマニウム（Ｇｅ）との合金などを用いることができる。この場合、封止孔には、金属からなる封止材との接合強度を確保するために、スパッタリングや蒸着などの気相堆積法を用いて金属膜を形成することが望ましい。
【０００７】
しかしながら、特許文献３に記載の圧電デバイスでは、リッド基板またはベース基板に形成された封止孔の内壁が、圧電デバイスの外部側から内部空間側にかけて垂直に、もしくは、垂直に近く内部空間側に狭まる断面テーパー形状を有している。そのため、気相堆積法により封止孔内に金属膜を形成したときに、封止孔の内部空間側にいくほど金属膜が堆積され難くなるため、金属膜の厚みが不均一になったり、内部空間側の側壁部に密着性の弱い金属膜が形成される虞がある。このように、封止孔内の金属膜が不均一に形成されていると、封止材が封止孔内に十分濡れ広がらないことにより孔封止の気密性の確保が難しくなり、封止不良による圧電振動片の動作不良や、外部要因による影響を受けやすくなることによって信頼性が低下したり、金属膜の脱落による電気的な不具合を発生させる虞があった。
【課題を解決するための手段】
【０００８】
本発明は、上述の課題の少なくとも一部を解決するためになされたものであり、以下の形態または適用例として実現することが可能である。
【０００９】
〔適用例１〕本適用例にかかる圧電デバイスは、圧電振動片が形成された振動片基板と、前記振動片基板を間に挟んだ上下に配置され前記振動片基板に接合される２つの基板と、を備え、前記振動片基板と前記基板とが接合されることにより、２つの前記基板間に形成される内部空間に前記圧電振動片が収容され、２つの前記基板の少なくとも一方に、前記内部空間と外部とを連通し内壁に金属膜を有する封止孔が設けられ、前記封止孔を封止材にて塞ぐことにより、前記内部空間を気密にした圧電デバイスであって、前記封止孔は、前記外部側に開口した外部側開口部から前記基板の中間部の中間開口部までの外部側内壁部と、前記中間開口部から前記内部空間側に開口した内部空間側開口部までの内部空間側内壁部と、が連通されてなり、前記外部側内壁部は、断面が前記外部側開口部から前記内部空間側に向かって狭まるテーパー形状を有し、前記内部空間側内壁部は、断面が前記内部空間側開口部から前記外部側に向かって狭まるテーパー形状を有していることを特徴とする。
【００１０】
上記の構成によれば、基板に形成される封止孔が、外部側内壁部と内部空間側内壁部とが基板の中間部の中間開口部で連通されてなり、外部側内壁部は、断面が外部側開口部から中間開口部側に向かって狭まるテーパー形状を有し、内部空間側内壁部は、断面が内部空間側開口部から中間開口部側に向かって狭まる外部側内壁部とは逆テーパーとなるテーパー形状を有して形成されている。
【００１１】
このため、スパッタリングや蒸着などにより封止孔の内壁に金属膜を形成する際に、封止孔を平面視した際に外部側内壁部の下方に隠れて視認されない内部空間側内壁部には金属膜が形成され難いので、外部側内壁部に金属膜を選択的に形成することができる。これにより、リッド基板またはベース基板の一方の面（外部側面）から一度のエッチング加工を施すことにより形成した一つの断面テーパー形状を有する封止孔の場合のように、封止孔の下方となる内部空間側面に金属膜が堆積されにくいことにより、金属膜の厚みが不均一となったり、密着性が弱い部分ができたりすることによる孔封止不良や、金属膜の剥離による電気的なトラブルなどの不具合を回避できる。
したがって、封止孔において、外部側内壁部の金属膜と封止材との安定した接合が可能となり、内部空間を確実に気密封止する封止構造を実現できるので、動作が安定し、高信頼性を有する圧電デバイスを提供することができる。
【００１２】
〔適用例２〕上記適用例にかかる圧電デバイスにおいて、前記外部側開口部が平面視で円形状または正多角形状を呈していることを特徴とする。
【００１３】
この構成によれば、孔封止する際に、球状のものが使用されることが多い封止材を封止孔に配置したときに、外部側内壁部の封止材と近接される面を多くすることができるので、封止材の熱溶融が良好に行われ、安定した孔封止を行うことができる。
【００１４】
〔適用例３〕上記適用例にかかる圧電デバイスにおいて、前記中間開口部が平面視で楕円形状を有することを特徴とする。
【００１５】
この構成によれば、封止孔に溶融前の球状の封止材を配置させた際に、外部側内壁部と内部空間側内壁部とを連通する中間開口部において、その中間開口部が平面視で円形状である場合に比して、封止材と封止孔の内壁との間に隙間が大きく確保されるので、孔封止工程において真空引き時間がより短縮する。
【００１６】
〔適用例４〕上記適用例にかかる圧電デバイスにおいて、平面視したときの前記外部側開口部の中心と、前記中間開口部の中心とがそれぞれ異なる位置になるように配置されていることを特徴とする。
【００１７】
この構成によれば、封止孔に溶融前の球状の封止材を配置させた際に、外部側内壁部と内部空間側内壁部とを連通する開口が球状の封止材の側面に配置され、封止孔の内壁と封止材との間に隙間が確保されやすくなり、孔封止工程における真空引き時間の短縮に効果を奏する。
【００１８】
〔適用例５〕本適用例にかかる圧電デバイスの製造方法は、圧電振動片が形成された振動片基板と、前記振動片基板を間に挟んだ上下に配置され前記振動片基板に接合される２つの基板と、を備え、前記振動片基板と前記基板とが接合されることにより、２つの前記基板間に形成される内部空間に前記圧電振動片が収容され、２つの前記基板の少なくとも一方に、前記内部空間と外部とを連通し内壁に金属膜を有する封止孔が設けられ、前記封止孔を封止材にて塞ぐことにより、前記内部空間を気密に封止し、前記封止孔は、前記外部側に開口した外部側開口部から前記基板の中間部の中間開口部までの外部側内壁部と、前記中間開口部から前記内部空間側に開口した内部空間側開口部までの内部空間側内壁部と、が連通されてなり、前記外部側内壁部は、断面が前記外部側開口部から前記内部空間側に向かって狭まるテーパー形状を有し、前記内部空間側内壁部は、断面が前記内部空間側開口部から前記外部側に向かって狭まるテーパー形状を有した圧電デバイスの製造方法であって、前記外部側内壁部を形成するステップと、前記外部側内壁部を形成するステップの後で、前記外部側内壁部を含む領域に前記金属膜を形成するステップと、前記金属膜を形成するステップの後で、前記基板を前記内部空間側からエッチング加工することにより前記外部側内壁部と連通する前記内部空間側内壁部を形成するステップと、前記接合するステップと、前記封止孔に前記封止材を配置し、該封止材を溶融させて前記封止孔を塞ぐことにより孔封止するステップと、を含むことを特徴とする。
【００１９】
この構成によれば、基板に、外部側開口部から内部空間側に向かって狭まる断面テーパー形状を有した外部側内壁部と、内部空間側開口部から外部側に向かって狭まる前記外部側内壁部とは逆テーパーとなる断面テーパー形状を有した内部空間側内壁部とが、基板の中間部の中間開口部で連通されてなる封止孔を形成することができる。
このため、スパッタリングや蒸着などにより封止孔の内壁に金属膜を形成する際に、封止孔を平面視した際に外部側内壁部の下方に隠れて視認されない内部空間側内壁部には金属膜が形成される難くなるので、外部側内壁部に金属膜を選択的に形成することができる。これにより、基板の一方の面（外部側面）から一度のエッチング加工を施すことにより形成した一つの断面テーパー形状を有する封止孔の場合のように、封止孔の下方となる内部空間側面に金属膜が堆積されにくいことにより、金属膜の厚みが不均一となったり、密着性が弱い部分ができたりすることによる孔封止不良や、金属膜の剥離による電気的なトラブルなどの不具合を回避できる。
したがって、封止孔において、外部側内壁部の金属膜と封止材との安定した接合が可能となり、内部空間を確実に気密封止する封止構造を実現できるので、動作が安定し、高信頼性を有する圧電デバイスを製造することができる。
【００２０】
〔適用例６〕上記適用例にかかる圧電デバイスの製造方法において、少なくとも前記外部側内壁部をドライエッチング加工法を用いて形成することを特徴とする。
【００２１】
ドライエッチング加工法は、ウェットエッチングなどの化学エッチング加工法のように被加工材の異方性に依存することなく、所望の形状に制御してエッチング加工することができる。これにより、上記のように、平面視で視認される領域が広い外部側内壁部、すなわち、断面が緩やかな傾斜のテーパー形状を呈する外部側内壁部の形成が可能になる。
【００２２】
〔適用例７〕上記適用例にかかる圧電デバイスの製造方法において、前記内部空間側内壁部を形成するステップで、前記内部空間側からドライエッチング加工を施すことにより前記内部空間側内壁部を形成することを特徴とする。
【００２３】
この構成によれば、内部空間側内壁部の外部側内壁部と連通する側の開口よりも、内部空間側の開口の方を大きく形成することができる。これにより、孔封止工程において、封止孔からの封止材の落下を防止しながら、封止孔の内部空間側の開口が大きく形成されていることにより、孔封止工程における真空引きがされやすくなるので、真空引き時間を短縮させて効率よく圧電デバイスを製造することができる。
【発明を実施するための最良の形態】
【００２４】
以下、圧電デバイスの一実施形態について図面に従って説明する。
【００２５】
（水晶振動子）
図１〜４は、圧電デバイスを水晶振動子に具現化した実施形態を説明するものであり、図１は水晶振動子を模式的に示す分解斜視図である。また、図２は図１の水晶振動子の振動片基板を模式的に説明するものであり、（ａ）は平面図、（ｂ）は（ａ）のＡ−Ａ線断面図、（ｃ）は底面図である。また、図３は、水晶振動子の断面構造、および、接合方法としての直接接合方法の一例である陽極酸化をしている状態を模式的に説明する断面図であり、図１の分解斜視図に示す水晶振動子を図２のＡ−Ａ線の位置で切断したときと同じ断面を示している。また、図４は、図１および図３に示すリッド基板１０の封止孔近傍を拡大して説明するものであり、（ａ）は部分拡大平面図、（ｂ）は（ａ）のＣ−Ｃ線断面図である。
【００２６】
図１において、水晶振動子１は、振動片基板２０の上下に連通する開口部Ｔ１を、２つの基板としてのリッド基板１０およびベース基板３０とで塞ぐように固定して形成されている。
なお、本実施形態の振動片基板２０は水晶からなる。また、リッド基板１０およびベース基板３０は、ガラスやシリコン、あるいは振動片基板２０と同じ水晶などからなる。
【００２７】
リッド基板１０は、少なくとも振動片基板２０の開口部Ｔ１を塞ぎ、且つ、水晶振動片２５を覆うことができる大きさを有し、本実施形態では、振動片基板２０の外形が矩形であることから、リッド基板１０の外形も矩形の形状とされている。
同様に、ベース基板３０は、少なくとも振動片基板２０の開口部Ｔ１を塞ぎ、且つ、水晶振動片２５を覆うことができる大きさを有し、本実施形態では、振動片基板２０の外形が矩形であることから、ベース基板３０の外形も矩形の形状とされている。
【００２８】
また、リッド基板１０の振動片基板２０と接合される側の面である内部空間側面１３には凹部１２が設けられている。同様に、ベース基板３０の振動片基板２０と接合される側の面である内部空間側面３３には凹部３２が設けられている。そして、リッド基板１０とベース基板３０とは、それぞれの内部空間側面１３，３３に設けられた凹部１２と凹部３２とを互いに向かい合わせにして、間に振動片基板２０を挟んで固定されるようになっている。これにより、凹部１２および凹部３２は、振動片基板２０の内側の空間となる開口部Ｔ１と一体になって、振動片基板２０の圧電振動片としての水晶振動片２５を収容する内部空間Ｓ１（図３を参照）が形成されるようになっている。
【００２９】
振動片基板２０は、この振動片基板２０の矩形の外形を形成する枠部２１と、枠部２１の内側に形成された基部２３、およびその基部２３から平行に突設された振動腕２５Ａ，２５Ｂからなる水晶振動片２５とが一体に形成されている。このような振動片基板２０の形状は、本実施形態の場合、水晶の薄板をフォトリソグラフィを用いてエッチングすることにより形成することができる。
【００３０】
ここで、振動片基板２０について詳細に説明する。
図２において、振動片基板２０の水晶振動片２５は、枠部２１の一端部の内側と一体とされている基部２３と、その基部２３を基端として、図中右方向に向けて、二股に分かれて平行に延びる一対の振動腕２５Ａ，２５Ｂが突設されている。すなわち、水晶振動片２５は、音叉のような形状を有した、所謂、音叉型水晶振動片である。
【００３１】
図２（ａ）に示すように、振動片基板２０の枠部２１の上端面２１ａには第１の電極２８が設けられている。
この第１の電極２８は、枠部２１の上端面２１ａに引き回された第１の接合用電極２８ａと、その第１の接合用電極２８ａと接続されて水晶振動片２５の基部２３を通り振動腕２５Ａの両側面および振動腕２５Ｂの上面と下面とに設けられた第１の励振電極２６Ｂとを有している。
【００３２】
また、図２（ｃ）に示すように、振動片基板２０の枠部２１の下端面２１ｂには第２の電極２９が設けられている。
この第２の電極２９は、枠部２１の下端面２１ｂに引き回された第２の接合用電極２９ａと、その第２の接合用電極２９ａと接続されて水晶振動片２５の基部２３を通り振動腕２５Ｂの両側面および振動腕２５Ａの上面と下面とに設けられた第２の励振電極２６Ａとを有している。
【００３３】
これらの電極は、本実施形態の水晶振動子１において、次のような構成上の特徴を有している。
すなわち、第１の接合用電極２８ａは、振動片基板２０とリッド基板１０とを陽極接合により直接接合するのに用いられる。また、第２の接合用電極２９ａは、振動片基板２０とベース基板３０とを陽極接合するのに用いられる。
また、第１の励振電極２６Ｂおよび第２の励振電極２６Ａは、水晶振動片２５を駆動するのに用いられる。
これらの第１の接合用電極２８ａおよび第２の接合用電極２９ａと、第１の励振電極２６Ｂおよび第２の励振電極２６Ａとは、水晶材料をフォトリソグラフィを用いてエッチングすることにより形成された振動片基板２０の原形の表面に、例えばスパッタリングにより、クロム（Ｃｒ）層を下地として形成し、その上に金（Ａｕ）層を積層させて設けた共通の構造にて形成されている。
【００３４】
さらに、第１の接合用電極２８ａおよび第２の接合用電極２９ａの部分には、上記の金層の上に、陽極酸化のための金属被覆層として、例えば、アルミニウム（Ａｌ）層や、それに代わる、例えば、タングステン（Ｗ）、ニッケル（Ｎｉ）、チタン（Ｔｉ）、あるいはシリコン（Ｓｉ）などが積層されて形成されている。
【００３５】
また、図３に示すように、第１の接合用電極２８ａは、図中左側の側面に引き回された側面電極３５ａを介して、ベース基板３０の底面に設けられた実装用電極３５と接続されている。同様に、第２の接合用電極２９ａは、図中右側の側面に引き回された側面電極３６ａを介して、ベース基板３０の底面に設けられた実装用電極３６と接続されている。
【００３６】
また、特に重要な構成として、図３に示すように、本実施形態では、リッド基板１０の中央付近には、水晶振動子１の内部空間Ｓ１と外部とを連通する貫通孔としての封止孔４０が設けられている。封止孔４０は、水晶振動子１の外部側、すなわちリッド基板１０の外部側面１１に開口する断面テーパー形状を有する外部側内壁部４１と、その外部側内壁部４１とは逆テーパーの断面テーパー形状を有し、内部空間Ｓ１側の内部空間側面１３に開口する内部空間側内壁部４２とが連通されてなる。
なお、図３に示す水晶振動子１は、封止孔４０に、詳細を後述する封止材４５が充填されて封止された状態を示している。
【００３７】
また、図３は、振動片基板２０の上下にリッド基板１０およびベース基板３０を陽極接合している状態を図示している。すなわち、ガラス製のリッド基板１０およびベース基板３０には、これらの軟化点よりも低い温度を加えた状態で、リッド基板１０およびベース基板３０と、これらを振動片基板２０に対して接合するための接合膜である第１の接合用電極２８ａおよび第２の接合用電極２９ａとの間で、これら第１の接合用電極２８ａおよび第２の接合用電極２９ａが陽極になるようにして、直流電源４９から直流電圧を印加する。
【００３８】
すると、ガラス製であるリッド基板１０とベース基板３０とには、印加された直流電圧の作用によって、イオンが移動し、これら第１の接合用電極２８ａおよび第２の接合用電極２９ａとのギャップおよび、その近傍に形成された空間電荷層に、継続して印加された電圧がかかるようになる。そうすると、リッド基板１０およびベース基板３０と、振動片基板２０の第１の接合用電極２８ａおよび第２の接合用電極２９ａとの間に静電引力が発生し、互いに密着し、強電界によりガラス側から各電極側へのイオンの移動が進み、界面で電極側の原子と共有結合を生じて結合が行われると考えられる。なお、この過程は、逆電圧を利用して可逆的に進行させることもできる。
【００３９】
以上の陽極接合の作用により、リッド基板１０とベース基板３０との間に振動片基板２０を挟んで接合された水晶振動子１において、水晶振動片２５が収容された内部空間Ｓ１は、リッド基板１０とベース基板３０とにより気密状態で封止されている。
【００４０】
〔封止孔〕
ここで、本実施形態で重要であるリッド基板１０の封止孔４０について詳細に説明する。
図４に示すように、封止孔４０は、リッド基板１０の外部側面１１に大きく開口した外部側開口部４１ａを有する外部側内壁部４１と、内部空間側面１３に大きく開口した内部空間側開口部４２ｂを有する内部空間側内壁部４２とが、リッド基板１０の厚み方向の中間部の中間開口部４０ｃで連通されてなる。また、封止孔４０において、外部側内壁部４１は平面視で円形状の外部側開口部４１ａを有し、本実施形態では、内部空間側内壁部４２の内部空間側開口部４２ｂも平面視で略円形状を呈している。
【００４１】
さらに詳しくは、封止孔４０において、外部側内壁部４１は、断面が外部側開口部４１ａから内部空間（Ｓ１）側に向かって狭まるテーパー形状（断面テーパー形状）を有し、内部空間側内壁部４２は、内部空間側開口部４２ｂから外部側に向かって狭まる断面テーパー形状を有している。すなわち、内部空間側内壁部４２は、外部側内壁部４１とは逆テーパーとなる断面テーパー形状を有して形成されており、封止孔４０を平面視した際には、外部側内壁部４１の下方に隠れて視認されない。
【００４２】
封止孔４０の外部側内壁部４１の内壁を含む領域には金属膜４３が形成されている。この金属膜４３は、金属からなる封止材４５ａを溶融させた溶融金属が濡れ広がって、水晶振動子１の内部空間Ｓ１（図３を参照）を確実気密に封止させるために設けられているものである。この金属膜４３は、後述するように、スパッタリングや蒸着などにより順次積層されたクロム、金と、その金の上に、無電解メッキにより順次積層されたニッケル、パラジウム、金により形成される（図示せず）。
【００４３】
図４（ｂ）に示すように、金属膜４３は、封止孔４０の内壁のうち、内部空間側内壁部４２の内壁には形成されずに、外部側内壁部４１の内壁にのみ選択的に形成されている。これは、封止孔４０に金属膜４３の下地層であるクロム、金をスパッタリングや蒸着などによりこの順に積層させる際に、クロムや金が、封止孔４０を平面視した際に外部側内壁部４１の下方に隠れて視認されない内部空間側内壁部４２には積層されず、平面視で視認される外部側内壁部４１の内壁に選択的に堆積されることによる。
【００４４】
また、後述するように、封止孔４０が設けられた部分において、リッド基板１０の材料であるガラス基板１５と金属膜４３との密着性を確保するために、封止孔４０の内壁を含む金属膜４３形成領域の表面粗さが所定の粗さを有する所謂マット面に加工されていることが望ましい。本実施形態では、封止孔４０のうち、少なくとも封止材４５を溶融することによる孔封止に供する外部側内壁部４１の内壁がマット面に加工されている（図示せず）。
【００４５】
上記実施形態の水晶振動子１によれば、リッド基板１０に形成された封止孔４０が、外部側内壁部４１と内部空間側内壁部４２とが連通されてなり、外部側内壁部４１は、外部側開口部４１ａから内部空間（Ｓ１）側に向かってリッド基板１０の厚さの中間に位置する中間開口部４０ｃまで狭まる断面テーパー形状を有し、内部空間側内壁部４２は、内部空間側開口部４２ｂから外部側に向かってリッド基板１０の厚さの中間に位置する中間開口部４０ｃまで狭まる外部側内壁部４１とは逆テーパーとなる断面テーパー形状を有して形成されている。
【００４６】
このため、スパッタリングや蒸着などにより封止孔４０の内壁に金属膜を形成する際に、封止孔４０を平面視した際に外部側内壁部４１の下方に隠れて視認されない内部空間側内壁部４２には金属膜がほとんど形成されず、外部側内壁部４１に金属膜４３を選択的に形成することができる。これにより、リッド基板１０の外部側面１１側から一度のエッチング加工を施すことにより形成した一つの断面テーパー形状を有する封止孔の場合のように、封止孔の下方（内部空間側面１３側）に金属膜が堆積されにくいことにより、金属膜の厚みが不均一となったり、密着性が弱い部分ができたりすることによる孔封止不良や、金属膜の剥離による電気的なトラブルなどの不具合を回避できる。
したがって、封止孔４０において、外部側内壁部４１の金属膜４３と封止材金属（封止材４５）との安定した接合が可能となり、内部空間Ｓ１を確実に気密封止する封止構造を実現できるので、動作が安定し、高信頼性を有する水晶振動子１を提供することができる。
【００４７】
また、上記実施形態の水晶振動子１では、封止孔４０の外部側内壁部４１を含む領域に設ける金属膜４３として、クロム、金を下地層として、その下地層の金の上に、ニッケル、パラジウム、金がこの順に積層されてなる積層膜を用いる構成とした。
この構成の金属膜４３によれば、後述する孔封止工程において、下地金属の拡散が抑えられるとともに、溶融した封止材４５の濡れ性が良好となり確実な封止ができることを発明者は確認した。
【００４８】
〔水晶振動子の製造方法〕
次に、上記のように構成された水晶振動子１の製造方法について図面に沿って説明する。
図５は、本実施形態の水晶振動子１の製造方法を説明するフローチャートである。また、図６は、本実施形態の水晶振動子１の製造方法のうち、封止孔を形成する過程を説明する部分断面図である。また、図７は、本実施形態の水晶振動子１の製造方法のうちの孔封止工程において、封止孔４０が封止される状態を説明する部分断面図である。
【００４９】
図５においては、リッド基板１０の製造工程がステップＳ１−１からステップＳ１−５までに示され、振動片基板２０の製造工程がステップＳ２−１からステップＳ２−４までに示され、ベース基板３０の製造工程がステップＳ３−１からステップＳ３−３までに示されている。まず、これら前工程について説明する。
【００５０】
上述した陽極接合などの直接接合による水晶振動子１の製造においては、振動片基板２０、リッド基板１０、ベース基板３０それぞれを大判のウェハに複数並べて形成し、それら各基板ウェハを積層させて直接接合してウェハ積層体を形成した後に、ダイシングあるいは折り取りなどにより個片の水晶振動子１に切断して複数個の水晶振動子１を得る方法がとられる。
【００５１】
まず、リッド基板１０は、所定の大きさのガラス基板（ウェハ）を用いて、このガラス基板に単数または複数のリッド基板１０の外形をフォトリソグラフィを用いてエッチングすることにより形成する。
なお、本実施形態のリッド基板１０および後述するベース基板３０の形成材料として用いるガラス材料は、陽極接合を可能とするため、あるいは、陽極接合を容易にするために、イオンの拡散のしやすいガラス材料を選択する。例えば、アルカリ金属を含有するもので、エッチング加工に適するものを選定するとよく、例えば、ソーダガラスなどが適している。
【００５２】
リッド基板１０の外形形成では、まず、ガラス基板１５の両主面の全面に、エッチングマスクとなる例えばクロム（Ｃｒ）および金（Ａｕ）からなる耐蝕膜をスパッタなどにより形成し、その耐蝕膜上にフォトレジストを塗布する。そして、そのフォトレジストにリッド基板１０の外形パターニング用のマスクを配置して露光した後、フォトレジストの感光した部分を現像して除去してからエッチング液に浸し、感光したフォトレジストを除去した部分の耐蝕膜をエッチングして、ガラス基板上に、耐蝕膜からなるリッド基板１０の外形形成用のエッチングマスクを形成する（ステップＳ１−１）。
【００５３】
次に、耐蝕膜からなるリッド基板１０の外形形成用のエッチングマスクを形成したガラス基板１５を、例えばフッ化水素溶液からなるエッチング液に浸漬して、リッド基板１０の外形に対応した部分が貫通するまでエッチングすることにより、リッド基板１０の外形を形成する（ステップＳ１−２）。
なお、本実施形態のリッド基板１０の外形形成工程には、凹部１２（図３を参照）の形成も含む。凹部１２は、上記外形形成用の耐蝕膜からなるエッチングマスクを用いてガラス材料をハーフエッチングすることにより形成する。
また、リッド基板１０の外形は、例えば、ウェハから完全に切り離されないようにミシン目状の折り取り部によりガラス基板につなげるようにしている。これにより、以降の工程をガラス基板のウェハ状態にて効率的に流動することができる。
【００５４】
次に、封止孔４０の形成を行う。
外部側内壁部４１と内部空間側内壁部４２とが連通されてなる本実施形態の封止孔４０の形成では、まず、ステップＳ１−３に示すように外部側内壁部４１の形成をしてから、ステップＳ１−４に示すように、外部側内壁部４１を含む領域に金属膜４３を形成し、次に、ステップＳ１−５に示すように、外部側内壁部４１と連通する内部空間側内壁部４２を形成する順序で行う。
【００５５】
封止孔４０の形成工程について図６を用いて詳細に説明する。
まず、外部側内壁部４１形成工程（図５のステップＳ１−３）では、外部側内壁部４１を平面視したときに視認される領域がなるべく広くなるように緩やかな角度の断面テーパー形状となることが望ましく、このため、サンドブラスト加工法を用いることが好ましい。サンドブラスト加工法は、被加工材料の加工部分に微細砥粒を定量的に噴射することにより、所望の形状の穴あけや凹部形成などをおこなうことができるドライエッチング加工法の一つであり、ウェットエッチングなどの化学エッチング加工法に比してエッチング形状の制御性に優れ、上記した緩やかなテーパー角度の断面テーパー形状の外部側内壁部４１の形成が可能である。
【００５６】
図６（ａ）に、サンドブラスト加工法による外部側内壁部４１形成する過程を示す。まず、リッド基板１０の外形を形成したガラス基板１５の外部側面１１上に感光性のマスキングフィルム（サンドブラスト加工用マスク１５１の原形）を貼り合せてから、そのマスキングフィルムに封止孔４０の開口形状のパターニング用マスクを配置して露光した後、マスキングフィルムの感光した部分を現像して除去しサンドブラスト加工用マスク１５１を形成する。そして、サンドブラスト加工用マスク１５１をマスクとしてサンドブラスト加工装置の噴射ノズルから砥粒を噴射させ、マスクされていない部分のガラス基板１５を物理的にエッチングする。このとき、噴射ノズルからの砥粒の噴射位置を移動させながら、砥粒の吐出圧力、吐出時間などを調整することにより、緩やかな断面テーパー形状の外部側内壁部４１を形成する。
【００５７】
なお、ここで重要なのは、外部側内壁部４１を含む封止孔４０形成後に後述する金属膜４３形成を行う際に、外部側内壁部４１のガラス基板材料上における金属膜４３の密着性を確保するために、外部側内壁部４１を含む金属膜４３形成領域の表面粗さを所定の粗さのマット面とすることである。本実施形態では、封止孔４０のうち、封止材を溶融することによる孔封止に供する外部側内壁部４１の内壁を所定の表面粗さに仕上げればよい。
このように、外部側内壁部４１の内壁を所定の表面粗さとするには、上記サンドブラスト加工法による封止孔形成時の砥粒の種類や粗さなどを選定、あるいは調整する。
【００５８】
サンドブラスト加工により外部側内壁部４１を形成（図５のステップＳ１−３）した後で、次に、６（ｂ）に示すように、リッド基板１０に金属膜４３を形成する（図５のステップＳ１−４）。本実施形態では、スパッタリングや蒸着などの気相堆積法と、無電解メッキとを併用して金属膜４３を形成する。
【００５９】
金属膜４３形成では、まず、スパッタリングや蒸着などにより、クロム、金をこの順に積層させる。次に、このクロムと金が積層された金属膜をフォトリソグラフィによりパターニングすることによって、金属膜４３パターンを形成する。このとき、外部側内壁部４１を平面視したときに視認される領域が広くなるように緩やかな角度の断面テーパー形状を有して形成された外部側内壁部４１には金属膜が堆積されやすく、その内壁には均一な厚みの金属膜４３が形成される。
【００６０】
そして、その金属膜４３パターン上に、無電解メッキにより、ニッケル、パラジウム、金をこの順に積層させることにより、金属膜４３が形成される。
また、上記したように、サンドブラスト加工による外部側内壁部４１形成において、外部側内壁部４１を含む金属膜４３形成領域の表面が所定の表面粗さのマット面に仕上げられているので、リッド基板１０のガラス基板１５と金属膜４３との密着強度が十分に確保される。
【００６１】
次に、外部側内壁部４１と連通する内部空間側内壁部４２を形成して封止孔４０を完成させる（図５のステップＳ１−５）。
内部空間側内壁部４２の形成は、上記の外部側内壁部４１形成と同様の手順によりサンドブラスト加工法を用いて形成することもできるが、これに限らず、フォトリソグラフィを用いてウェットエッチング、あるいはその他ドライエッチング加工法によって形成するようにしてもよい。本実施形態では、フォトリソグラフィを用いたエッチングによる内部空間側内壁部４２の形成方法について説明する。
【００６２】
図６（ｃ）において、内部空間側内壁部４２の形成では、まず、リッド基板１０の外部側内壁部４１を含む外部側面１１上にエッチングレジスト１６１を塗布する。エッチングレジスト１６１は、パターニングはしないため感光性である必要はなく、また、サンドブラスト加工法により内部空間側内壁部４２を形成する場合には塗布する必要がない。
【００６３】
また、リッド基板１０の内部空間側面１３には、感光性のマスキングフィルム（エッチング用マスク１６３の原形）を貼り合せてから、そのマスキングフィルムに封止孔４０の内部空間側開口部４２ｂの開口形状のパターニング用マスクを配置して露光した後、マスキングフィルムの感光した部分を現像して除去しエッチング用マスク１６３を形成する。
【００６４】
そして、図６（ｄ）に示すように、エッチング用マスク１６３をマスクとしてリッド基板１０をエッチング液に浸すウェットエッチング、あるいはドライエッチングすることにより内部空間側内壁部４２を形成する。
なお、内部空間側内壁部４２を形成する際に、エッチングが外部側内壁部４１の凹底部分の金属膜４３まで達すると、エッチングは金属膜４３でストップするか、金属膜４３の一部がエッチングされる。また、内部空間側内壁部４２の形成をサンドブラスト加工を用いて行った場合は、外部側内壁部４１の凹底部分の金属膜４３の一部または全部が除去される。
【００６５】
次に、エッチングレジスト１６１およびエッチング用マスク１６３を剥離することにより、外部側内壁部４１の凹底部分の金属膜４３がエッチングレジスト１６１とともに除去され、図６（ｅ）に示すように、外部側内壁部４１および内部空間側内壁部４２がリッド基板１０の厚み方向の中間部の中間開口部４０ｃで連通する封止孔４０が形成される。
以上により、リッド基板１０が完成する。
【００６６】
図５に戻り、次に、振動片基板２０の製造方法について説明する。
振動片基板２０の製造においては、まず、結晶軸に対して所定のカット角で切り出され、所望の厚さおよび表面状態になるように研磨加工された大判の水晶基板（水晶ウェハ）を準備する。そして、ステップＳ２−１に示すように、フォトリソグラフィを用いたウェットエッチングにより、水晶基板に複数の振動片基板２０の外形を形成する。
【００６７】
詳述すると、まず、ステップＳ２−１に示すように、水晶基板のウェハの両主面全体に、エッチングマスクとなる例えばクロムおよび金からなる耐蝕膜をスパッタなどにより形成してからフォトレジストを塗布して、そのフォトレジスト上に振動片基板２０の外形パターニング用のマスクを配置する。
そして、露光した後、フォトレジストの感光した部分を現像して除去してからエッチング液に浸し、感光したフォトレジストを除去した部分の耐蝕膜をエッチングして、水晶基板上に、耐蝕膜からなる振動片基板２０の外形形成用のエッチングマスクを形成する。
【００６８】
次に、ステップＳ２−２に示すように、振動片基板２０の外形形成用のエッチングマスクを形成した水晶基板を、例えばフッ化水素溶液およびフッ化アンモニウム溶液からなるエッチング液に浸漬して、振動片基板２０の外形に対応した部分が貫通するまでエッチングして振動片基板２０の外形を形成する。
なお、振動片基板２０の外形は、水晶基板から完全に切り離されないようにミシン目状の折り取り部などにより水晶基板につなげ、以降の工程を水晶基板（ウェハ）状態にて効率的に流動するようにしている。
【００６９】
次に、ステップＳ２−３に示すように、耐蝕膜からなる振動片基板２０形成用のエッチングマスクを剥離する。
【００７０】
次に、ステップＳ２−４に示すように、スパッタリングや蒸着などにより、第１の接合用電極２８ａや第１の励振電極２６Ｂなどからなる第１の電極２８と、第２の接合用電極２９ａ、第２の励振電極２６Ａなどからなる第２の電極２９などの電極形成を行う。
電極形成は、振動片基板２０の外形が形成された水晶基板の表面に、スパッタリングや蒸着により、クロム層を下地として形成し、その上に金層を積層させて形成される。
さらに、第１の接合用電極２８ａおよび第２の接合用電極２９ａの部分の上記金層の上に、スパタリングや蒸着により、陽極酸化のための金属被覆層である例えばアルミニウム層や、それに代わる、例えば、タングステン、ニッケル、チタン、あるいはシリコンなどを積層させて形成する。
以上により、振動片基板２０が完成する。
【００７１】
次に、ベース基板３０の製造方法について説明する。
ベース基板３０は、上記リッド基板１０と同じガラス材料により、概ね同じ方法により形成することができる。
まず、例えばソーダガラスなどからなるガラス基板の両主面全体に、エッチングマスクとなる例えばクロムおよび金からなる耐蝕膜をスパッタなどにより形成し、フォトリソグラフィを用いてエッチングすることにより、ガラス基板上に、耐蝕膜からなるベース基板３０の外形形成用のエッチングマスクを形成する（ステップＳ３−１）。
【００７２】
次に、ステップＳ３−２に示すように、耐蝕膜からなるベース基板３０の外形形成用のエッチングマスクを形成したガラス基板を、例えばフッ化水素溶液からなるエッチング液に浸漬してベース基板３０の外形に対応した部分が貫通するまでエッチングすることにより、ベース基板３０の外形を形成する。
【００７３】
なお、本実施形態のベース基板３０の外形形成工程には、凹部３２（図３を参照）の形成も含む。凹部３２は、上記外形形成用の耐蝕膜からなるエッチングマスクを用いてガラス材料をハーフエッチングすることにより形成することができる。
また、ベース基板３０の外形形成でも、リッド基板１０の外形形成と同様に、ウェハから完全に切り離されないようにミシン目状の折り取り部によりガラス基板につなげるようにすることにより、以降の工程をガラス基板のウェハ状態にて効率的に流動することができる。
【００７４】
次に、ステップＳ３−３に示すように、ベース基板３０に、スパッタリングや蒸着などにより、クロム、金をこの順に積層させ、これをフォトリソグラフィによりパターニングすることによって、実装用電極３５，３６や引き回し配線としての側面電極３５ａ，３６ｂなどの電極形成を行う。
以上により、ベース基板３０が完成し、リッド基板１０、および振動片基板２０の形成と合わせた前工程が終了する。
【００７５】
次に、後工程について説明する。
図３を用いて上記に説明したように、リッド基板１０およびベース基板３０と、これらを振動片基板２０に対して接合するための接合膜である第１の接合用電極２８ａおよび第２の接合用電極２９ａとの間で、これら第１の接合用電極２８ａおよび第２の接合用電極２９ａが陽極になるようにして、直流電源４９から直流電圧を印加することにより、振動片基板２０を、リッド基板１０およびベース基板３０に対して陽極接合する（ステップＳ６）。
この陽極接合による工程は、従来の接合工程のように、内部空間Ｓ１からのガス出しを行う必要がなく、大気圧で行うことができる。
【００７６】
このように陽極接合により接合された状態の基板（ウェハ）積層体は、次に、ステップＳ７に示すように、孔封止を施す。
本実施形態の孔封止工程では、まず、図７（ａ）に示すように、基板積層体のリッド基板１０の封止孔４０に溶融前の球状の封止材４５ａを配置した状態で、基板積層体を真空チャンバー内に入れて所定の真空度まで減圧させることにより、水晶振動片２５やリッド基板１０およびベース基板３０の内側から出るガスを封止孔４０から排出させる。
【００７７】
このとき、球状の封止材４５ａは、リッド基板１０の封止孔４０のうち、外部側に広く開口した外部側開口部４１ａを有する外部側内壁部４１の金属膜４３上に受容される。
なお、溶融前の球状の封止材４５ａは、完成した水晶振動子１を外部実装基板に実装する際のリフロー温度よりも高い温度を融点として有した金属であることが望ましく、例えば、金と錫（Ｓｎ）との合金、あるいは、金とゲルマニウム（Ｇｅ）との合金などが用いられる。
【００７８】
そして、図７（ｂ）に示すように、封止孔４０に封止材４５を溶融させて充填することによる孔封止を完了させる。この孔封止は、球状の封止材４５ａにレーザ光を照射して溶解したり、その他、オーブンやハロゲン光などの加熱手段を使って溶解させる。これにより、溶解した封止材４５を封止孔４０の外部側内壁部４１上を含む領域に形成された金属膜４３の表面に濡れ広がらせ、その後、真空チャンバー内にて、封止材４５が完全に固化するまで温度を下降させることにより、封止孔４０の中間開口部４０ｃから外部側開口部４１ａまでが封止材により閉鎖されて、封止孔４０の孔封止が完了する。
そして、孔封止が完了した基板（ウェハ）積層体は、真空チャンバーから取り出される。
【００７９】
次に、ステップＳ８に示すように、孔封止された基板（ウェハ）積層体をダイシングすることなどにより、個片の水晶振動子１を得る個片化が行われた後、必要な検査等を行なって水晶振動子１が完成する（ステップＳ９）。
【００８０】
上記実施形態の水晶振動子１の製造方法によれば、封止孔４０において、封止材４５による孔封止に供する金属膜４３を、外部側内壁部４１に選択的に、且つ、均一な厚みにて形成することができる。これにより、封止材４５の内部空間側内壁部４２への濡れ広がりや内部空間Ｓ１側への落下が防止され、安定した孔封止が可能となり、水晶振動片２５が確実に気密封止することができるので、安定した動作と、高い信頼性を有する水晶振動子１を製造することができる。
【００８１】
また、水晶振動子１の製造方法では、外部側内壁部４１および内部空間側内壁部４２からなる封止孔４０のうち、少なくとも外部側内壁部４１を、サンドブラスト加工法により形成する構成とした。
サンドブラスト加工法などのドライエッチング加工法は、ウェットエッチングなどの化学エッチング加工法のように、被加工材の異方性に依存することなく、所望の形状に制御してエッチング加工することができる。このため、外部側内壁部４１および内部空間側内壁部４２が連通されてなる封止孔４０において、この封止孔４０を平面視したときに視認される領域がなるべく広くなるように緩やかなテーパー角度の断面テーパー形状を有する外部側内壁部４１を形成することができる。
これにより、封止孔４０を孔封止する際に封止材４５による孔封止に供する金属膜４３を、外部側内壁部４１に選択的に、且つ、均一な厚みにて形成することができるので、封止材４５の内部空間側内壁部４２への濡れ広がりや内部空間Ｓ１側への落下が防止され、安定した孔封止が可能となることにより、水晶振動片２５が確実に気密封止され、安定した動作と、高い信頼性を有する水晶振動子１を製造することができる。
【００８２】
また、上記の水晶振動子１の製造方法では、サンドブラスト加工法による封止孔４０形成時の砥粒の種類や粗さなどを選定、あるいは調整することにより、少なくとも金属膜４３形成領域となる外部側内壁部４１の表面粗さを所定の粗さのマット面に加工する構成とした。
これにより、外部側内壁部４１と金属膜４３との密着性を向上させることができるので、封止材４５による封止孔４０の孔封止が確実に行えることにより、水晶振動子１の信頼性の向上を図ることができる。
【００８３】
また、上記実施形態のリッド基板１０では、封止孔４０において、内部空間側内壁部４２は、外部側内壁部４１とは逆テーパーとなる断面テーパー形状を有し、内部空間側内壁部４２の外部側内壁部４１と連通する開口部よりも、内部空間側面１３側の内部空間側開口部４２ｂの方が大きく形成されている。
これにより、封止孔４０から内部空間Ｓ１側への封止材の落下を防止しながら、封止孔４０の内部空間側面１３側の内部空間側開口部４２ｂが大きく形成されていることにより孔封止工程における真空引きがされやすくなるので、真空引き時間を短縮させて製造効率を向上させることができる。
【００８４】
本発明は、上記実施形態に限定されるものではなく、以下の変形例を実施することもできる。
【００８５】
（変形例１）
上記実施形態のリッド基板１０の封止孔４０では、平面視で略円形の外部側開口部４１ａおよび内部空間側開口部４２ｂを有する二つの切頭円錐形状の外部側内壁部４１および内部空間側内壁部４２が連通してなる構成とした。これに限らず、内部空間側内壁部の上側および下側開口部の平面視の形状を楕円形状にすることにより、孔封止工程における真空引きの効率化を図ることが可能になる。
図８は、リッド基板の封止孔の変形例１を模式的に説明するものであり、（ａ）はリッド基板を外部側からみた部分平面図、（ｂ）は（ａ）のＥ−Ｅ線部分断面図である。なお、図８においては、本変形例の効果を説明する便宜上、溶融前の球状の封止材４５ａを封止孔６０に載置した状態を図示している。
【００８６】
図８において、ガラスなどからなるリッド基板５０の略中央には、外部側面５１に大きく開口した外部側開口部６１ａを有する外部側内壁部６１と、内部空間側面５３に大きく開口した内部空間側開口部６２ｂを有する内部空間側内壁部６２とが、リッド基板５０の厚み方向の中間部の中間開口部６０ｃで連通されてなる封止孔６０が形成されている。
【００８７】
封止孔６０において、外部側内壁部６１は、外部側面５１に大きく開口する外部側開口部６１ａから、内部空間側面５３側の中間開口部６０ｃに向かって狭まる断面テーパー形状を有している。ここで、外部側内壁部６１は、平面視で略円形状の上側および下側開口を有する切頭円錐形状を呈している。
また、内部空間側内壁部６２は、外部側内壁部６１との連通孔となる中間開口部６０ｃから内部空間側面５３の内部空間側開口部６２ｂに向かって広がる断面テーパー形状を有している。ここで、内部空間側内壁部６２の中間開口部６０ｃおよび内部空間側開口部６２ｂは、平面視で楕円形状を呈している。
また、封止孔６０の外部側内壁部６１を含む領域には金属膜６３が形成されている。
【００８８】
上記変形例１のリッド基板５０の構成によれば、封止孔６０において、内部空間側内壁部６２の外部側内壁部６１と連通する側の中間開口部６０ｃよりも、内部空間側面５３側の内部空間側開口部６２ｂの方が大きく形成されているとともに、内部空間側内壁部６２の上側および下側の開口部である中間開口部６０ｃおよび内部空間側開口部６２ｂが平面視で略楕円形状を呈している。
これにより、封止孔６０の孔封止工程において、封止孔６０の外部側内壁部６１に球状の封止材４５ａを載置したときに、外部側内壁部６１の底面に設けられた平面視で略楕円形状の中間開口部６０ｃにより、その中間開口部が平面視で円形状である場合に比して、封止材４５ａと封止孔６０の内壁との間に隙間が大きく確保される。また、内部空間側内壁部６２は、中間開口部６０ｃよりも内部空間側開口部６２ｂの方が大きく形成されている。したがって、孔封止工程における真空引きがより一層されやすくなるので、真空引き時間をより短縮させて製造効率を向上させる効果を奏する。
【００８９】
（変形例２）
上記実施形態、変形例１のリッド基板１０，５０の封止孔４０，６０では、外部側内壁部４１，６１および内部空間側内壁部４２，６２それぞれの平面視で円形もしくは楕円形の中心点が重なるように縦配置して封止孔４０，６０を構成した。これに限らず、外部側内壁部と内部空間側内壁部それぞれの平面視したときの形状の中心点をずらして配置した構成の封止孔とすることにより、孔封止工程における真空引きの効率化を図ることが可能になる。
図９は、リッド基板の封止孔の変形例２を模式的に説明するものであり、（ａ）はリッド基板を外部側からみた部分平面図、（ｂ）は（ａ）のＦ−Ｆ線部分断面図である。なお、図９においては、本変形例の効果を説明する便宜上、溶融前の球状の封止材４５ａを封止孔８０に載置した状態を図示している。
【００９０】
図９において、ガラスなどからなるリッド基板７０の略中央には、外部側面７１に大きく開口した外部側開口部８１ａを有する外部側内壁部８１と、内部空間側面７３に大きく開口した内部空間側開口部８２ｂを有する内部空間側内壁部８２とが、リッド基板７０の厚み方向の中間部の中間開口部８０ｃで連通されてなる封止孔８０が形成されている。
【００９１】
封止孔８０において、外部側内壁部８１は、外部側面７１に大きく開口した外部側開口部８１ａから、内部空間側面７３側の中間開口部８０ｃに向かって狭まる断面テーパー形状を有している。
また、内部空間側内壁部８２は、外部側内壁部８１との連通孔となる中間開口部８０ｃから内部空間側面７３の内部空間側開口部８２ｂに向かって広がる断面テーパー形状を有している。ここで、図中、Ｆ−Ｆ線および中心線Ｐ１の交点で示す内部空間側内壁部８２の平面視で円形状の円の中心点と、Ｆ−Ｆ線および中心点Ｐ２の交点で示す外部側内壁部８１の中心点とが異なる位置に配置されている。
また、封止孔８０の外部側内壁部８１を含む領域には金属膜８３が形成されている。
【００９２】
上記変形例２のリッド基板７０の構成によれば、外部側内壁部８１のみに選択的に金属膜８３が形成されているので、封止孔８０の封止材４５ａによる孔封止工程において、溶融した封止材４５ａが内部空間側内壁部８２へ濡れ広がることなく、外部側内壁部８１の金属膜８３と封止材金属（封止材４５ａ）との安定した接合が可能になる。
【００９３】
また、封止孔８０に溶融前の球状の封止材４５ａを配置させた際に、外部側内壁部８１と内部空間側内壁部８２との連通部となる中間開口部８０ｃが球状の封止材４５ａの側面に配置され、封止孔８０の内壁と封止材４５ａとの間に比較的大きく隙間が確保されることにより、孔封止工程における真空引き時間がより短縮できるという効果を奏する。
【００９４】
以上、発明者によってなされた本発明の実施の形態およびその変形例について具体的に説明したが、本発明は上記した実施の形態およびその変形例に限定されるものではなく、その要旨を逸脱しない範囲で種々の変更を加えることが可能である。
【００９５】
例えば、上記実施形態では、振動片基板２０に設けられた圧電振動片として、音叉型の水晶振動片２５を用いた一例について説明した。これに限らず、例えばＡＴカット水晶振動片などの他の外形を有する水晶振動片、あるいは、他のカット角の水晶振動片であってもよい。
また、水晶からなる水晶振動片に限らず、水晶以外の他の圧電材料からなる圧電振動片、例えば、タンタル酸リチウム基板、ニオブ酸リチウム基板などを用いることもできる。
また、上記実施形態では、リッド基板１０やベース基板３０の材料として、青板ガラスなどのガラス基板を用いたが、シリコン、あるいは振動片基板２０と同じ水晶などの、直接接合が可能な他の材料を用いることも可能である。
【００９６】
また、上記実施形態および変形例１、変形例２では、外部側内壁部４１，６１，８１が平面視で円形状に形成された例を説明した。これに限らず、外部側内壁部は平面視で多角形状に形成してもよい。このとき、上記実施形態および変形例のように、溶融前の形状が球状の封止材４５ａを用いる場合は、孔封止する工程で封止材４５ａの均一な溶融を促すように外部側内壁部の平面視の形状は正多角形であることが好ましい。
【００９７】
また、上記実施形態では、振動片基板２０に、ベース基板３０およびリッド基板１０を陽極接合により接合したが、これに限らず、他の接合方法により接合してもよい。
例えば、珪素（Ｓｉ）を主成分とした水晶やガラスなどの接合対応面である接合領域を鏡面研磨してから当接し、加圧することによって当接面の珪素結合（原子間的結合）によって直接接合する接合法（表面活性化接合ともいう）を用いる構成としてもよい。
また、低融点ガラスやハンダなどの金属ロウ材を介して加熱および加圧する接合方法を用いてもよい。
また、被接合材料を清浄化処理した後、真空雰囲気中で水分子を吹き付けて、被接合材料の表面に水分子と水酸基（ＯＨ基）とを吸着させて活性化させ、その後、プラズマ照射により表面の水分子を除去して、被接合材料の表面どうしを密着させ、一方の被接合材料の表面の水酸基と他方の被接合材料の表面の酸素原子との間で、直接水素結合させるという接合方法を用いることもできる。この水素結合による直接接合によれば、被接合材料どうしを当接させるだけで直接接合される。
【００９８】
また、上記実施形態では、孔封止工程を真空チャンバー内で行い、水晶振動子１の内部空間Ｓ１を真空にして封止する構成とした。これに限らず、内部空間に、窒素、ヘリウム、アルゴンなどの不活性ガスを封入してから封止する構成としてもよい。
【００９９】
また、上記実施形態では、封止孔４０に形成する金属膜４３として、封止材４５を溶融させて充填する際に、封止材の塗れ性が特に良好な好適なものとして、クロム、金を下地層として、その下地層の金の上に、ニッケル、パラジウム、金をこの順に積層させる構成を説明した。これに限らず、良好な濡れ性などが確保できれば、上記のうちの一部の金属のみによる合金層あるいは単一の金属層であってもよく、また、他の金属を用いた構成の金属膜であってもよい。
【０１００】
また、上記実施形態および変形例では、水晶振動子１のリッド基板１０，５０，７０に封止孔４０，６０，８０を形成する構成を説明したが、封止孔をベース基板３０に設ける構成としてもよい。
【図面の簡単な説明】
【０１０１】
【図１】圧電デバイスとしての水晶振動子の一実施形態を模式的に説明する分解斜視図。
【図２】（ａ）は、振動片基板を模式的に説明する平面図、（ｂ）は、（ａ）のＡ−Ａ線断面図、（ｃ）は底面図。
【図３】水晶振動子の断面構造および直接接合方法としての陽極酸化をしている状態を模式的に説明する断面図。
【図４】（ａ）は、リッド基板の封止孔近傍を拡大して説明する部分拡大平面図、（ｂ）は、（ａ）のＣ−Ｃ線断面図。
【図５】水晶振動子の製造方法を説明するフローチャート。
【図６】（ａ）〜（ｅ）は、水晶振動子の製造方法のうち、封止孔を形成する過程を説明する部分断面図。
【図７】（ａ）、（ｂ）は、水晶振動子の製造方法のうちの孔封止工程において、封止材により封止孔を孔封止する過程を説明する部分断面図。
【図８】（ａ）は、リッド基板の封止孔の変形例１を模式的に説明する平面図、（ｂ）は、（ａ）のＥ−Ｅ線断面図。
【図９】（ａ）は、リッド基板の封止孔の変形例２を模式的に説明する平面図、（ｂ）は、（ａ）のＦ−Ｆ線断面図。
【符号の説明】
【０１０２】
１…圧電デバイスとしての水晶振動子、１０，５０，７０…リッド基板、１１，５１，７１…外部側面、１３，５３，７３…内部空間側面、２０…振動片基板、２３…基部、２５…圧電振動片としての水晶振動片、２５Ａ，２５Ｂ…振動腕、２６Ａ…第２の励振電極、２６Ｂ…第１の励振電極、２８…第１の電極、２８ａ…第１の接合用電極、２９…第２の電極、２９ａ…第２の接合用電極、３０…ベース基板、３５，３６…実装用電極、３５ａ，３６ａ…引き回し配線としての側面電極、４０，６０，８０…封止孔、４０ｃ，６０ｃ，８０ｃ…中間開口部、４１，６１，８１…外部側内壁部、４１ａ，６１ａ，８１ａ…外部側開口部、４２，６２，８２…内部空間側内壁部、４２ｂ，６２ｂ，８２ｂ…内部空間側開口部、４３，６３，８３…金属膜、４５…封止材、４５ａ…（溶融前の球状の）封止材。
【図１】
2010153977.tif 000003
【図２】
2010153977.tif 000004
【図３】
2010153977.tif 000005
【図４】
2010153977.tif 000006
【図５】
2010153977.tif 000007
【図６】
2010153977.tif 000008
【図７】
2010153977.tif 000009
【図８】
2010153977.tif 000010
【図９】
2010153977.tif 000011